Podtech/llm-jp-corpus-v4-ja_patent huggingface dataset:
(57)【要約】【課題】シャーレ内の多数の細菌のコロニーを数える時は、一度数えたものを再度数えることがないよう筆記具でマーキングを行い、その数をメモ等に記録することが多い。記録書や報告書等に計数したコロニー数を記入する際、計算間違い、転記誤りをすることがあった。【解決手段】筆記具にセンサを取り付け、筆記具がマーキングした回数を直接パーソナルコンピュータへ入力することにより、転記ミスや計算間違いがなくなる。特に記録書や報告書等の作成の際には、作業時間の短縮や業務の省力化に役立つ。【選択図】図１
2011181052.tif 000002
【特許請求の範囲】
【請求項１】
［図１］に示すとおり、パーソナルコンピュータのＵＳＢ端子からケーブルにより付加アダプタを介して市販の筆記具に装着されるセンサ部に接続され、筆記具でシャーレ内の細菌のコロニーをマーキングする。そのマーキングされた回数を自動的にパーソナルコンピュータへ入力することができるコロニーの計数可能な衛生管理システム
【請求項２】
［図２］に示すとおり、付加アダプタにメモリーカードを接続し、付加アダプタより筆記具に装着されたセンサ部に接続され、筆記具でシャーレ内の細菌のコロニーをマーキングする。そのマーキングされた回数をメモリーカードへ送信し入力され、そのメモリーカードをパーソナルコンピュータへ接続することにより、マーキングされた回数が自動的にパーソナルコンピュータへ入力することができるコロニーの計数可能な衛生管理システム
【請求項３】
［請求項１］または、［請求項２］による衛生管理システムにおいて、コロニーの数値が異常と判断した結果をパーソナルコンピュータに接続された有線電話、無線電話回線等の情報伝達手段によってあらかじめ設定した相手に自動的に転送し、音声で通知することができる衛生管理システム
【請求項４】
［請求項１］または、［請求項２］による衛生管理システムにおいて、コロニーの数値を基に、これまでのコロニーの数値を記憶、蓄積し、その変化から今後のコロニーの数値を予測することで、細菌数が衛生上危険な値まで到達する前に衛生状態が悪化していることを警報と判断して、可視及  可（にて通報できる衛生管理システム
【請求項５】
［請求項３］に示す衛生管理システムにおいて警報と判断した通報をパーソナルコンピュータに接続された１５０、インター円）ト等の情報伝達手段によってあらかじめ設定した相手に自動的に転送し、電子メールで通知することができる衛生管理システム
【発明の詳細な説明】
【技術分野】
【０００１】  本発明は、筆記具によるマーキング回数を直接パーソナルコンピュータやメモリーカードへ入力できることにより、すぐさま計数処理することができる衛生管理システムに関するものである。
【背景技術】
【０００２】  シャーレ内の多数の細菌のコロニーを数える時は、一度数えたものを再度数えることがないよう筆記具でマーキングをし、その数を記憶するか、もしくは、マーキングした数を記憶することを必要としないカウンタ付き筆記具しか存在しない。ましてやマーキングした回数を直接パーソナルコンピュータやメモリーカードへ入力出来、すぐに計数処理できる衛生管理システムは存在しない。
【発明の開示】
【発明が解決しようとする課題】
【０００３】  本発明が解決しようとする課題はシャーレ内の細菌のコロニーを数えて、その数を記憶していたのを忘れてしまう。また、数えた数を基に計算処理する場合、数えた数を転記等する必要がある。このため時間を要し、計算間違いを発生させてしまうことになる。
【課題を解決するための手段】
【０００４】  本発明は、シャーレ内の多数の細菌のコロニーを数える時に筆記具を用いてマーキングした際、その数を自動的にパーソナルコンピュータやメモリーカードへ入力させることにより、記録書や報告書等のあらかじめ設定された計算に基づき計数処理することを迅速にしかも正確に行うことが可能となる。
【発明の効果】
【０００５】  本発明は、マーキングされた回数を直接パーソナルコンピュータやメモリーカードへ入力することにより、自動的に計数処理することができる衛生管理システムであるが故に作業の迅速化、省力化をもたらす。
【発明を実施するための最良の形態】
【０００６】［図１］に筆記具によるマーキング回数をパーソナルコンピュータへ送信することができるシステム図を示す。シャーレ（１）内の多数の細菌のコロニー数を数える際、パーソナルコンピュータ（２）のＵＳＢ端子（３）よりケーブル（４）で付加アダプタ（５）に接続され、さらに付加アダプタ（５）からセンサ部（６）に接続され、センサ部（６）は、筆記具（７）に装着される。
筆記具（７）がマーキングされると、センサ部（６）がマーキング回数を計測し、その結果を付加アダプタ（５）へ送信する。付加アダプタ（５）は、パーソナルコンピュータ（２）へ入力可能となるデータを形成し、ＵＳＢ端子（３）を通し、パーソナルコンピュータ（２）へ入力される。
パーソナルコンピュータ（２）により、計数の設定や処理が行われ、しかるべき値に到達したりすると、可視や可聴で通報を行うことが可能となり、さらに通信を行うためのＬＡＮまたは、電話回線（８）を接続することにより遠隔地への通報も可能となる。【０００７】［図２］に筆記具によるマーキング回数をメモリーカードへ入力できるシステム図を示す。シャーレ（１）内の多数の細菌のコロニーを数える際、付加アダプタ（５）にメモリーカード（９）を接続し、付加アダプタ（５）からセンサ部（６）へ接続され、センサ部（６）は筆記具（７）を装着される。筆記具（７）がマーキングされると、センサ部（６）がマーキング回数を計測し、その結果を付加アダプタ（５）へ送信する。付加アダプタ（５）は、パーソナルコンピュータ（２）が入力可能となるデータを形成し、メモリーカード（９）へデータが入力される。データが入力されたメモリーカード（９）は、パーソナルコンピュータ（２）へ接続されることにより、コロニー数の計数処理が可能な衛生管理システムとなる。
【図面の簡単な説明】
【０００８】
【図１】筆記具によるマーキング回数をパーソナルコンピュータへ入力することができる衛生管理システム図
【図２】筆記具によるマーキング回数をメモリーカードへ入力できる衛生管理システム図
【符号の簡単な説明】
【０００９】１  シャーレ
２  パーソナルコンピュータ
３  ＵＳＢ端子
４  ケーブル
５  付加アダプタ
６  センサ部
７  筆記具
８  ＬＡＮまたは、電話回線
９  メモリーカード
【図１】
2011181052.tif 000003
【図２】
2011181052.tif 000004
(57)【要約】【課題】シート厚さを抑えたままで、所定の電磁波の透過抑制効果を発揮する電磁波吸収体を提供する。  【解決手段】電磁波吸収体１０は、磁性粉体１ａがバインダー１ｂに密に混合され、シート状に形成された磁性層１と、導電性インクが印刷された導電層２と、を有する。したがって、磁性層１に入射した電磁波３ａは磁性層１において吸収され、完全に吸収されないで一部が透過した場合でも、透過した電磁波３ｂが導電層２において反射される。【選択図】図１
2011181815.tif 000002
【特許請求の範囲】
【請求項１】
磁性粉体がバインダーに密に混合され、シート状に形成された磁性層と、
該磁性層の一方の面に形成された導電層と、
を有することを特徴とする電磁波吸収体。
【請求項２】
前記導電層が印刷された導電性インクあるいは塗布された導電性ペーストであることを特徴とする請求項１記載の電磁波吸収体。
【請求項３】
前記導電層がメッキまたは蒸着された金属膜であることを特徴とする請求項１記載の電磁波吸収体。
【請求項４】
前記バインダーが天然ゴム、人工ゴムあるいは合成樹脂の何れかであることを特徴とする請求項１記載の電磁波吸収体。
【発明の詳細な説明】
【技術分野】
【０００１】
本発明は、電磁波吸収体、特に、板状の電磁波吸収体に関するものである。
【背景技術】
【０００２】
従来、電子機器から放出される不要電磁波の低減や電子機器に生じる電磁障害の抑制のため、バインダーに磁性粉を分散させ、シート状の磁性層を形成して磁気シートが用いられていた。このとき、使用環境による厚みの変化を抑え、透磁率の低下を防止し、電気抵抗を向上するため、バインダーに絶縁性ゴム微粒子を含有させた磁気シートおよびその製造方法が開示されている（例えば、特許文献１参照）。
【先行技術文献】
【特許文献】
【０００３】
【特許文献１】特開２００９−２９５６７１号公報（第４−６頁、図１）
【発明の概要】
【発明が解決しようとする課題】
【０００４】
しかしながら、特許文献１は、電磁波の透過抑制効果を高めようとすると、その厚さを増す必要があるため、シート厚さを抑えたままで、所定の電磁波の透過抑制効果を発揮する電磁波吸収体およびその製造方法が求められていた。
【０００５】
本発明は、上記要求に応えるものであって、シート厚さを抑えたままで、所定の電磁波の透過抑制効果を発揮する電磁波吸収体を提供することを目的とする。
【課題を解決するための手段】
【０００６】
（１）本発明の電磁波吸収体は、磁性粉体がバインダーに密に混合され、シート状に形成された磁性層と、該磁性層の一方の面に形成された導電層と、を有することを特徴とする。
（２）また、前記導電層が印刷された導電性インクあるいは塗布された導電性ペーストであることを特徴とする。
（３）あるいは、前記導電層がメッキまたは蒸着された金属膜であることを特徴とする。
（４）さらに、前記バインダーが天然ゴム、人工ゴムあるいは合成樹脂の何れかであることを特徴とする。
【発明の効果】
【０００７】
本発明に係る電磁波吸収体は、磁性層の一方の面に形成された導電層を有するから、磁性層に入射した電磁波が磁性層において完全に吸収されないで、一部が透過した場合でも、該透過した電磁波が導電層において反射される。したがって、導電層の磁性層側でない方向への電磁波の漏れが最少に抑えられる。また、導電層において反射され、再度磁性層に入射した電磁波は、再度吸収され、磁性層の導電層側でない方向への電磁波の反射が最少に抑えられる。
したがって、所定の電磁波の透過抑制効果を得るために必要な磁性層の厚さを、薄くすることができる。
また、導電層が印刷された導電性インク等であるから、導電層自体も薄くすることができ、電磁波吸収体の全体厚さを薄くすることができる。
【図面の簡単な説明】
【０００８】
【図１】本発明の実施の形態に係る電磁波吸収体を模式的に示す断面図。
【発明を実施するための形態】
【０００９】
図１は、本発明の実施の形態に係る電磁波吸収体を模式的に示す断面図である。
図１において、電磁波吸収体１０は、シート状の磁性層１と、磁性層１に印刷された導電層２と、を有している。
磁性層１は磁性粉体１ａがバインダー１ｂに密に混合され、シート状に形成されたものである。また、導電層２は導電性インクが印刷されたものである。
したがって、磁性層１に入射した電磁波３ａは磁性層１において吸収される。また、
完全に吸収されないで、一部が透過した場合でも、透過した電磁波３ｂが導電層２において反射されるから、導電層２の磁性層１側でない方向（図中、上方向）への電磁波３ｂの漏れが最少に抑えられる。さらに、導電層２において反射され、再度磁性層に入射した電磁波３ｃは、再度吸収され、磁性層の導電層側でない方向（図中、下方向）への電磁波の反射が最少に抑えられる。
したがって、所定の電磁波の透過抑制効果を得るために必要な磁性層の厚さを、薄くすることができる。また、導電層２が導電性インクを印刷したものであるから、導電層２自体も薄くすることができ、電磁波吸収体１０全体の厚さを薄くすることができる。
【００１０】
なお、本発明は、磁性粉体１ａやバインダー１ｂの化学成分や形態（粒径等）を限定するものではない。例えば、磁性粉体１ａは一定方向に並べたものであっても、ランダムに配置したものであってもよい。また、バインダー１ｂは、天然ゴム、人工ゴム、合成樹脂等、何れであってもよい。
なお、印刷方法および導電性インクについても限定するものではない。さらに、印刷に代えて、導電性ペーストを塗布したり、金属膜をメッキや蒸着によって形成したりしてもよい。
なお、以上は、磁性層１が平面状のシートであるものを図示しているが、本発明はこれに限定するものではなく、曲面状であったり、厚さが不均一であったりしてもよい。
【００１１】
よって、所望の電磁波吸収性能を有する電磁波吸収体の厚さを薄くすることができる。また、導電層を安価に設けることができるから、電磁波吸収体を安価に提供することができる。
【産業上の利用可能性】
【００１２】
本発明に係る電磁波吸収体を設置することができる電子機器は限定されるものではないから、周囲への電磁波の伝播を抑えたり、周囲からの電磁波の影響を避けたい各種電子機器に広く設置することができる。
【符号の説明】
【００１３】
１   磁性層
１ａ 磁性粉体
１ｂ バインダー
２   導電層
３ａ 電磁波
３ｂ 電磁波
３ｃ 電磁波
１０   電磁波吸収体
【図１】
2011181815.tif 000003
(57)【要約】      （修正有）【課題】従来の磁石付プラグは、電源コードは短いのが多く、直線的に接続しないと脱離する弱点があった。その課題を解決するプラグを提供する。【解決手段】プラグとの接続部コード内に、形状維持用の素材、非鉄金属の丸形で棒状の部材を設け、自由に折り曲げた状態のまま接続しても原状の形にならず現状に合った状態に曲げても接続できるようにした構成から成るプラグを提供する。【選択図】図１
2011181487.tif 000002
【特許請求の範囲】
【請求項１】
磁石付プラグコードに関する。
【発明の詳細な説明】
【技術分野】
【０００１】この発明は、磁石付プラグコードに、形状維持するプラグ関する。
【背景技術】
【０００２】従来の電気ポット、その他に使用する磁石付プラグコードには、形状維持するプラグがなかった。
【発明の開示】
【発明が解決しようとする課題】
【０００３】これはつぎのような課題があった。
電気ポット、又、他に使用する磁石付プラグコードは、短いコードが多く、電源とポットを直線的接続しないと、脱離すことが度度あり、そのような点が弱点であった。
本発明は、以上の欠点をなくすために成されたプラグである。
【課題を解決するための手段】
【０００４】  プラグとの接続部コード内に、形状維持用の素材、非鉄金属の丸形で棒状の部材を設ける。
【発明の効果】
【０００５】本発明は、図１の構成から成り、短いコードで直線的接続しても、脱離する課題を解決する。
コードが短かく接続可能であるため経済的で温暖化にも貢献するものである。
【発明を実施するための最良の形態】
【０００６】コードとプラグを接続するコード内部の先に、形状維持する素材、非鉄金属の丸形で棒状の部材を設け、図１による構成から成る。
【図面の簡単な説明】
【０００７】
【図１】〔本発明の斜視図〕
【図２】コード断面の平面図
【符号の説明】
【０００８】１ａ，ｂ・・・プラグ本体  ２ａ・・・コード外部
２ｂ・・・・・コード内部  ３・・・・電線
４  ・・・・・形状維持非鉄金属部材  ５・・・接続部
６  ・・・・・止めネジ
【図１】
2011181487.tif 000003
【図２】
2011181487.tif 000004
(57)【要約】【課題】    パソコン使用時及び両手を使用できない状態のとき、簡易に書類や書籍を斜めに立てて見やすくする簡易書見台になるフォルダーを提供する。【解決手段】フォルダー裏表紙の内面側に、書籍受け台を付加した書見台紙を設け、書見台紙の書籍受け台に凸面ファスナーを設ける。また、フォルダーの表表紙側の内面側に凹面ファスナーを設ける。そして、書籍受け台を持ち上げて表表紙側の凹面ファスナーに書籍受け台の凸面ファスナーを固定することで、台紙が斜めに起き上がり書類用の書見台になる。また、表表紙側の内側に書籍受け台と書籍紙面受けを設ける。書籍紙面受けを引き上げて書籍受け台が起き上がり、そこに書籍を置いて書見できることを特徴とする簡易書見台になるフォルダー。【選択図】図１
2011207199.tif 000002
【特許請求の範囲】
【請求項１】
フォルダー裏表紙の内面側に、書籍受け台を付加した書見台紙を設け、書見台紙の書籍受け台に凸面ファスナーを設け、フォルダーの表表紙側の内面側に凹面ファスナーを設け、書籍受け台を持ち上げて表表紙側の凹面ファスナーに書籍受け台の凸面ファスナーを固定することで、台紙が斜めに起き上がり書見台になることを特徴とする簡易書見台になるフォルダー。
【請求項２】
フォルダー表表紙の内面側に書籍受け台と書籍紙面受けを設けてなる請求項１の簡易書見台になるフォルダー。
【発明の詳細な説明】
【技術分野】
【０００１】  本発明は、パソコン使用時や両手を使用できないときに、書類や書籍を斜めに立てて書見できるようにした簡易書見台になるフォルダーに関するものである。
【背景技術】
【０００２】  従来、書見台を用意できない場合、膝のうえか机の上に書籍や書類を寝かせるか、両手に持って書見をしていた。
【特許文献１】
【発明の開示】
【発明が解決しようとする課題】
【０００３】そのために、次のような問題点があった。
パソコン画面にたいして、書類や書籍の位置が離れているために、文字が読みにくく体ごと移動して書見しないと読めなかったり、印字する文字位置の間違いを起こしたりしていた。
本発明は以上の問題点を解決しようとするものである。
【課題を解決するための手段】
【０００４】  フォルダー裏表紙の内面側に、書籍受け台を付加した書見台紙を設け、書見台紙の書籍受け台に凸面ファスナーを設ける。また、フォルダーの表表紙側の内面側に凹面ファスナーを設ける。そして、書籍受け台を持ち上げて表表紙側の凹面ファスナーに書籍受け台の凸面ファスナーを固定することで、台紙が斜めに起き上がり書類用の書見台になる。また、表表紙側の内側に書籍受け台と書籍紙面受けを設ける。書籍紙面受けを引き上げて書籍受け台が起き上がり、そこに書籍を置いて書見できることを特徴とする簡易書見台になるフォルダー。
【発明の効果】
【０００５】  本発明は、フォルダーに書類を挟んだままフォルダーを変形させて書見台として使用できるので、パソコンの使用にさいして書類を立てて見られることで姿勢をくずさずにキー打ちが出来、キーの打ちミスが減る。
また、書籍を立てかけ両手を常時使用しなくても書見することができる。
【発明を実施するための最良の形態】
【０００６】以下、本発明の実施の形態を説明する。
（イ）フォルダー（１）の裏表紙側斜線部分と、書籍受け台を付加した書見台紙（２）の      斜線部分を接着して書見台として設ける。
（ロ）書籍受け台（４）の凸斜線部分と、書籍紙面受け（３）の凸斜線部分を接着する
（ハ）フォルダー（１）の表紙側斜線部分と、書籍受け台（４）の斜線部分を接着して書      籍受け台として設ける。
（ニ）フォルダー（１）の表表紙側の内側に凹面ファスナー（６）を設ける。
（ホ）書籍受け台を付加した書見台台紙（２）の書籍受け部分と、書籍受け台（４）斜線      の凸部分の先端の２箇所に、凸面ファスナー（５）を設ける。
本発明は以上の構成よりなっている。
本発明を使用するさいは、フォルダー（１）を開き、書籍受け台を付加した書見台（２）の書籍受け台を持ち上げ書籍受け台の凸面ファスナー（５）を、表表紙側凹面ファスナー（６）に固定することで、書見台紙（２）が起き上がり書類用の書見台ができる。
また、表表紙側に接着し固定した書籍受け台（４）の一部を切り抜き、切り取られた部分に書類用の書見台を固定した状態で、書籍紙面受けと書籍受け台（３．４）の凸面ファスナー（５）を、凹面ファスナー（６）からはずし引き上げると、書籍受け台（４）が片方だけ角度をつけてフォルダー（１）から起き上がり、起き上がらない片方は、書籍受け台（４）の切羽部分と、書籍受け台を付加した書見台（２）の書籍受け台に切り込まれた部分と噛合い、同時に書籍受け台を付加した書見台（２）の後ろ側で、書籍受け台（４）の一部で一定以上の起き上がりを防ぎ書類用の書見台と一体化し、書籍用の書見台ができる。
【図面の簡単な説明】
【０００７】
【図１】本発明の平面図
【図２】本発明の斜視図
【図３】本発明の斜面図
【図４】本発明の分解図
【図５】本発明の使用状態を示す斜視図
【図６】本発明の使用状態を示す斜面図
【符号の説明】
【０００８】１  フォルダー
２  書見台
３  書籍紙面受け
４  書籍受け台
５  凸面ファスナー
６  凹面ファスナー
７  書類
８  書籍
【図１】
2011207199.tif 000003
【図２】
2011207199.tif 000004
【図３】
2011207199.tif 000005
【図４】
2011207199.tif 000006
【図５】
2011207199.tif 000007
【図６】
2011207199.tif 000008
(57)【要約】      （修正有）【課題】洋上風力発電設備の海底非固定型風車の位置安定化及び全方位移動可能な推進装置を提供する。【解決手段】推進水流を吐出する表面に均一に分布した吐出口１８を有する球体状の推進源１と、この球体状の推進源の表面に接触しながら回転移動し球体状の推進源の進行方向側の吐出口を塞ぐ閉塞部材２と、この閉塞部材を球体状の推進源に吸着させ固定する電磁石９と、球体状の推進源の表面の任意の緯度と経度に移動するｘｙ移動リング１３及びｘｚ面移動リング６とを有し、球体状の推進源を３６０度、あらゆる方向に移動可能なようにし、洋上の風車を安定化、移動可能なようにするものである。【選択図】図１
2011207467.tif 000002
【特許請求の範囲】
【請求項１】
表面に分布した複数の吐出口（１８）を有する球体状の推進源（１）と、
当該球体状の推進源（１）の進行方向（８）側の吐出口（１８）の一部位を塞ぐ閉塞部材（２）と、
当該閉塞部材（２）を前記球体状の推進源（１）の表面に吸着し固定する電磁石（９）と、
前期閉塞部材（２）を前記球体状の推進源（１）の表面の任意の緯度に移動するｘｙ面移動リング（１３）と、
前期閉塞部材（２）を前記球体状の推進源（１）の表面の任意の経度に移動するｘｚ面移動リング（５）とを有することを特徴とする浮揚式洋上風力発電設備の水中全方位移動用推進装置
【発明の詳細な説明】
【技術分野】
【０００１】本発明は特に洋上風力発電設備の浮揚式風車の洋上安定及び固定のための浮揚式洋上風力発電設備の水中での全方位に移動可能な推進装置に関する。
【背景技術】
【００１０】従来の浮揚式洋上風力発電設備の固定及び安定のための推進装置には、３６０度、閉塞部材を移動させ且つ固定し得る具体的な考案が無かった。
【発明の開示】
【発明が解決しようとする課題】
【００２０】本発明が解決しようとする課題は、浮揚式洋上風力発電設備の風車を、安定化し且つ水中を３６０度、全方位に移動可能な推進装置を提供しようとするものである。
【課題を解決するための手段】
【００３０】表面に分布した複数の吐出口を有する球体状の推進源と、この球体状の推進源の進行方向側の吐出口を塞ぐ閉塞部材と、この閉塞部材を球体状の推進源の表面に吸着し固定する電磁石と、閉塞部材を球体状の推進源の表面の任意の緯度に移動するｘｙ面移動リングと、閉塞部材を球体状の推進源の表面の任意の経度に移動するｘｚ面移動リングとを有することによる。
【発明の効果】
【００４０】浮揚式洋上風力発電設備の風車の安定化及び３６０度、全方位に移動可能な構造の推進装置を提供できる。
【発明を実施するための最良の形態】
【００５０】浮揚式洋上風力発電設備の風車の下部の水中に、本発明の推進装置を設置する。
【実施例】
【０１００】本発明の好ましい実施例を述べる。
［図１］において、海面（２２）下の球体状の推進源（１）の内部は空間になっており、この球体状の推進源（１）の表面には内部の空間から外部へと貫通している吐出口（１８）が多数、均等に分布している。この球体状の推進源（１）の表面には、吐出口（１８）の一部位を閉塞する閉塞部材（２）が設置されている。一方、球体状の推進源（１）の下部には、水圧増幅水流（４）を発生するスクリュー（３）が設置されており、このスクリュー（３）は常時、角速度ω０で回転しているので球体状の推進源（１）内の圧力を高くしており、吐出口（１８）から推進水流（１４）を全方位に向けて吐出しているので、球体状の推進源（１）は通常は、安定して水中に静止している。
また、球体状の推進源（１）の表面には吐出口（１８）の一部位を塞ぐ閉塞部材（２）が電磁石（９）により吸着されて密着している。電磁石（９）は電磁石との固定点（２０）にてｘｙ面移動リング（１３）に固定されている。このｘｙ面移動リング（１３）は回転可能な固定点（２１）にてｘｚ面回転リング（６）と接続されている。このｘｚ面回転リング（６）は固定点（１９）にてｘｚ面移動リング（５）に固定されている。
このｘｚ面移動リング（５）は風車支持柱（１２）と回転可能な接続部（１５）にて風車支持柱（１２）の回りを回転可能なように接続されている。なお、ｘｙ面移動リング（１３）にはｘｙ面モータ（１６）が、また、ｘｚ面移動リング（５）にはｘｚ面モータ（１７）が、それぞれ接続されている。そして、電磁石（９）には、スイッチ（１０）を介して、直流電源（１１）が接続されている。【０２００】以上の構成において、ｘｚ面モータ（１７）がθ１度傾くと、ｘｚ面移動リング（５）が球体状の推進源（１）の表面のθ１度の経度に移動する。このとき、電磁石（９）のスイッチ（１０）がＯＦＦになっていると、閉塞部材（２）は球体状の推進源（１）の表面から離れ、この球体状の推進源（１）の表面のθ１度の経度に移動する。また、これと同時に、ｘｙ面モータ（１６）がθ２度傾くと、ｘｙ面移動リング（１３）が球体状の推進源（１）の表面のθ２度の緯度に移動し、従って、閉塞部材（２）の球体状の推進源（１）の表面の緯度はθ２度となる。このとき、θ１度及びθ２度をそれぞれ３６０度回転できるようにすると、閉塞部材（２）は球体状の推進源（１）の表面の任意の緯度と経度の部位に移動可能となる。この閉塞部材（２）の移動後、電磁石（９）のスイッチ（１０）をＯＮにして、磁気により球体状の推進源（１）の表面に吸着して固定する。【０３００】また、推進水流（１４）は、閉塞部材（２）の部位からは吐出されないので、推進水流（１４）の合力は閉塞部材（２）側の進行方向（８）に向く。従って、球体状の推進源（１）は進行方向（８）の方向へ進もうとする。前述したとおり、この閉塞部材（２）は、球体状の推進源（１）の表面の任意の部位に移動できるので、洋上風車を三次元空間の３６０度、あらゆる方向に推進力を向けることが可能となる。
【図面の簡単な説明】
【１０００】
【図１】は本発明の浮揚式洋上風力発電設備の水中全方位移動用進装置の縦断面図である。
【符号の簡単な説明】
【２０００】（１）は球体状の推進源である。
（２）は閉塞部材である。
（３）はスクリューである。
（４）は水圧増幅水流である。
（５）はｘｚ面移動リングである。
（６）はｘｚ面回転リングである。
（８）は進行方向である。
（９）は電磁石である。
（１０）はスイッチである。
（１１）は直流電源である。
（１２）は風車支持柱である。
（１３）はｘｙ面移動リングである。
（１４）は推進水流である。
（１５）は接続部である。
（１６）はｘｙ面モータである。
（１７）はｘｚ面モータである。
（１８）は吐出口である。
（１９）は固定点である。
（２０）は電磁石との固定点である。
（２１）は回転可能な固定点である。
（２２）は海面である。
【図１】
2011207467.tif 000003
(57)【要約】【課題】  ワイヤーロープに掛かる荷重が安全荷重の範囲内であるかどうかを判定するために必要なワイヤーロープの吊り角度を、玉掛け作業時にワイヤーロープと同時に目視することで容易に把握することが可能となる表示板を提供する。【解決手段】クレーンのフックにワイヤーロープのループ部とともに掛ける平板状の部材であって、平板状部材には、フックを通すためのフック穴と、ワイヤーロープの吊り角度が表示されているワイヤーロープの吊り角度表示板。【選択図】図１
2011207558.tif 000002
【特許請求の範囲】
【請求項１】
クレーンのフックにワイヤーロープのループ部とともに掛ける平板状の部材であって、平板状部材には、フックを通すためのフック穴と、ワイヤーロープの吊り角度が表示されているワイヤーロープの吊り角度表示板。
【発明の詳細な説明】
【技術分野】
【０００１】
本発明は、クレーンの玉掛け時に、荷物を吊った状態でのワイヤーロープの吊り角度を目視にて容易に把握できる「ワイヤーロープの吊り角度表示板」に関するものである。
【背景技術】
【０００２】
クレーンで吊荷を運搬して移動するとき、吊荷にワイヤーロープを巻回し、そしてそのワイヤーロープの両端に設けられたループ部をクレーンのフックに掛けて吊り上げるのが一般的である。その場合、ワイヤーロープに掛かる荷重は、吊荷の重量、フックに掛けるワイヤーロープの本数、そして吊り角度によって変化することになるが、その荷重はそのワイヤーロープの安全荷重の範囲内でなければならない。従って、吊荷の重量が決まれば、ワイヤーロープに掛かる荷重が安全荷重の範囲内となるように、ワイヤーロープの本数や吊荷への巻回の方法、吊り角度等を選定することになる。
【先行技術文献】
【特許文献】
【０００３】
【特許文献１】特開平６−３０７８０１号公報
【発明の開示】
【発明が解決しようとする課題】
【０００４】
吊り角度は、吊荷にワイヤーロープを巻回し、そのワイヤーロープの両端に設けられたループ部をクレーンのフックに掛け、その後、クレーンを少し上昇させて吊荷が床面から離れる直前のワイヤーロープが張った状態のとき、いわゆる地切り直前の状態のとき、玉掛け作業の作業員が吊荷から適切な距離だけ離れた位置から目視によって求めている。しかし、目視により吊り角度を正確に把握することは困難であり、そのためワイヤーロープに掛かる荷重が安全荷重の範囲内であるかどうかを判定することも難しかった。
【発明の効果】
【０００５】
本発明のワイヤーロープ吊り角度表示板には、ワイヤーロープの吊り角度が表示されている。そこで、玉掛け作業時にこのワイヤーロープ吊り角度表示板をフックに取り付けて玉掛け作業を行うことにより、ワイヤーロープと吊り角度の表示を同時に目視することで吊り角度を容易に把握することが可能になる。それにより、ワイヤーロープに掛かる荷重が安全荷重の範囲内であるかどうかの判定も容易になる。
【図面の簡単な説明】
【０００６】
【図１】本発明の吊り角度表示板を実施した一つの例
【図２】フック穴の上辺が水平な直線状の例と、カーブの例
【図３】表示板の全体形状の例
【符号の説明】
【０００７】
１：吊り角度表示板
２：フック穴
３：吊り角度表示部
４：フック
５：吊り角度３０°以内の領域
６：吊り角度６０°以内の領域
７：上辺が水平な直線状のフック穴
８：上辺がカーブのフック穴
【発明を実施するための最良の形態】
【０００８】
本発明のワイヤーロープ吊り角度表示板は、クレーンのフックにワイヤーロープのループ部とともに掛ける平板状の部材であって、平板状部材の略上方にはフックを通すためのフック穴が設けられ、フック穴よりも下方にワイヤーロープの吊り角度の表示がされている。
【０００９】
フック穴は、本発明のワイヤーロープ表示板をクレーンのフック（金具）に掛けるための穴である。フックには、このワイヤーロープの吊り角度表示板とともに、吊荷を吊ったワイヤーロープのループ部が掛けられる。通常、そのループ部の掛け数は、２点吊りの玉掛け作業の場合には２、４点吊りの玉掛け作業の場合には４である。
フック穴の上辺は、水平な直線状でもカーブでもよい。カーブの場合はフックの上面のカーブよりも緩やかなカーブとするのが好ましい。これにより、吊り角度表示の０度方向が表示板の自重により鉛直下方を向くようになる。また、このほかに吊り角度表示板の下方に錘（オモリ）を取り付ける、あるいは錘の代わりに板材を貼り付けるあるいはネジ留めするなどの方法により、吊り角度表示の０度方向が鉛直下方を向きやすくしてもよい。
【００１０】
吊り角度の表示は、フックから吊荷に向かう２本のワイヤーロープの間で作る角度（吊り角度）を板上に表示したものである。簡便には、例えば、吊り角度３０°以内の領域（符号５）、３０°超え６０°以内の領域（符号６）のように色分けして示すことができる。あるいは、吊り角度が読める目盛りを表示板上に記載してもよい。
【実施例】
【００１１】
図１は、本発明の実施の１つの形態を示す。吊り角度表示板１には、フック穴２と吊り角度表示３が設けられている。図１の吊り角度の表示は、３０°と６０°を色分けで示している。
【００１２】
ワイヤーロープ  ＪＩＳ  ６×３７  Ａ種（安全係数：６）
安全荷重の早見表の例（２本２点吊りの場合）
【表１】
2011207558.tif 000003
【００１３】
ロープ径１２ｍｍのＪＩＳ  ６×３７  Ａ種ワイヤーロープを用いて２本２点吊りする場合で、本発明のワイヤーロープ吊り角度表示板により把握した吊り角度が３０°以内である場合、吊荷の重量は２．４トン未満であれば、ワイヤーロープの安全荷重範囲内である。
【００１４】
ワイヤーロープ  ＪＩＳ  ６×３７  Ａ種（安全係数：６）
安全荷重の早見表の例（２本４点吊りの場合）
【表２】
2011207558.tif 000004
【００１５】
図３は、図１に例示したように吊り角度３０°と６０°を図示した発明の吊り角度表示板と、ワイヤーロープを２本による４点吊りの玉掛け作業を行った例である。この場合、吊り角度表示板より、吊り角度が３０°を超え６０°以内であることが容易に目測で把握できるから、表２を参照して、１２ｍｍのロープ径で吊荷の荷重が４．４トン未満ならワイヤーロープの安全荷重範囲内である。
【図１】
2011207558.tif 000005
【図２】
2011207558.tif 000006
【図３】
2011207558.tif 000007
(57)【要約】【課題】ライン用粉末を使用して運動場や芝生にラインを引く方法として、粉末を落とし込んで表示してゆく方法が主流であるが、作業性や環境に関わる粉塵の問題などの解決が求められている。。また、最近競技場や運動場を芝生にする動きが増えてきている中、鮮明にラインを引くことが出来、ラインを簡単に消去出来る条件を、十分満足させうるライン用パウダーが求められている。【解決方法】ライン作成時に粉塵の発生が無く、運動場、芝生、その他ラインや表示の必要な場所に対して、鮮明なラインを引けるよう、現場で水と粉末を攪拌して使用する、湿式ライン用炭酸カルシウム系粉末組成物を提供する【選択図】なし【特許請求の範囲】
【請求項１】
グランドや、芝生にラインを引くことを目的として、現場で水と混合してラインを引くための炭酸カルシウム系粉末組成物。
【請求項２】
（A）炭酸カルシウム等、（B）カオリン、（C）タルクの合計が５０％以以上。（D）顔料の合計が１０％以下。（Ｅ）染料の合計が１０％以下。（Ｆ）親水性増粘剤の合計が１０％以下。（Ｇ）親水性界面活性剤の合計が１０％以下。が配合可能であり、必要に応じて単独又は組み合わせにより物性を変化することができる炭酸カルシウム系粉末組成物。
【請求項３】
炭酸カルシウムが（Ａ）重質炭酸カルシウム及び軽質炭酸カルシウムの平均粒子径が５０μ以下であり、又白色度６０％以上である特許請求範囲第２項記載の炭酸カルシウム系粉末組成物
【請求項４】
カオリンが（Ｂ）国産及び輸入品カオリンの平均粒子径が５０μ以下で  あり、又白色度６０％以上である特許請求範囲第２項記載の炭酸カルシウム系粉末組成物
【請求項５】
タルクが（Ｃ）市販タルクの平均粒子径が５０μ以下であり、又白色度６０％以上である特許請求範囲第２項記載の炭酸カルシウム系粉末組成物
【請求項６】
顔料が（Ｄ）無機顔料で群青、紺青、弁柄、二酸化チタン等、有機顔料で、不溶性アゾ顔料、溶性アゾ顔料、総合アゾ顔料、フタロシアンブルー等の特許請求範囲第２項記載の炭酸カルシウム系粉末組成物
【請求項７】
染料が（Ｅ）有機系染料で、分散染料、酸性染料、反応染料、直接染料、硫化染料、硫化建染料、建染料、複合染料等を含有する特許請求の範囲第２項記載の炭酸カルシウム系粉末組成物
【請求項８】
増粘剤が（Ｆ）CMC、ヘクトライト、アエロジル、サポナイト、ベントナイト、セピオライトなどの親水性増粘剤を含有する特許請求の範囲第２項記載の炭酸カルシウム系粉末組成物
【請求項９】
界面活性剤が（Ｇ）カルボン酸塩、スルホン酸塩、硫酸エステル塩等親水性界面活性剤を含有する特許請求の範囲第２項記載の炭酸カルシウム系粉末組成物
【発明の詳細な説明】
【技術分野】
【０００１】
グランドや、芝生にラインを引くことを目的として、現場で水と混合してラインを引くための炭酸カルシウム系粉末組成物。
【背景技術】
【０００２】
運動場や芝生にラインを引く方法として大別すると、粉末を落とし込んで表示してゆく方法。塗料を塗ったり又はスプレーしたりして表示する方法。水で濡らして表示する方法等がある。
【０００３】
粉末を落とし込む方法は、粉末の飛散や人体への吸引などの環境への影響や、特に芝生等へラインを引く場合葉の下へ落ち込んでしまい鮮明なラインが引きにくいし、ラインを消すのも困難である。
【０００４】
塗料を塗ったり、スプレーする場合、ラインを消去したい時、容易に消去できない。
特に芝生にラインを引いて、ラインを消去する場合、芝生を刈って消去するしかない。
【０００５】
水でぬらしてラインを引く場合は、乾いた地面などに用途が限られている為、活用範囲が狭い。
また、水の蒸発などで、短時間にラインが消える事もある。
【特許文献１】特開２００９−２１９９５９
【特許文献２】特開２００９−２０７０９３
【特許文献１】特開２００４−２６１２１３
【特許文献１】特開２００４−２３６８８２
【特許文献１】特開２００１−１９５３１
【特許文献１】実用新案第３０７２８０５
【発明の概要】
【発明が解決しようとする課題】
【０００６】
運動場・芝生その他の施設などに消石灰・炭酸カルシウムなど無機系又は有機系粉末でライン（白線・青線・赤線・ 黄線・緑線等の色別のライン）を引く場合、粉末が飛散し、目に入ったり、吸い込んだりすることで、人体へ悪影響を及ぼすことがある。
【０００７】
現在、ラインパウダーは、炭酸カルシウムや貝殻粉、卵の殻の粉末などの無機系粉末や鶏糞を滅菌処理した粉末が主流である。供給形態は、１０kg〜３０kg程度の紙袋入り及び、ビニール袋入りがある。
この場合、広い在庫場所スペースが必要で袋が重いため作業性が悪い。袋が破れると粉末が飛び散り、吸引したり掃除に手間がかかり環境に良好とは言えない。
【０００８】
芝生などにラインを引く場合ライン用粉末が芝の下に沈んでしまい、十分に表示する事が困難であり。特に人工芝の場合、炭酸カルシウムなどの無機系粉末や塗料で描いたラインをを消去する時、水を流しても基布を通して地中にしみこませることが難しく、ラインの後処理が困難である。
【０００９】
塗料による表示もあるが、容易に消せない。芝生に描いた物を消す場合、芝を刈るしかない。さらに、鶏糞や卵の殻などの粉末の使用に際しては、滅菌処理をしているとは言え、在庫中に水分の吸着や菌の発生もあり得る。
【００１０】
特に近年、芝生のグランドを積極的に取り入れている傾向にあるが、従来のライン引きの方法では十分でない為、新しいライン引きの方法が求められている。
【課題を解決するための手段】
【００１１】
炭酸カルシュウム、カオリン、タルクなどの無機微粉末や顔料、染料、粘度調整剤、界面活性剤等を単体又は混合、着色した湿式ライン用粉末組成物を現場で水に分散させて使用する。
【発明の効果】
【００１２】
使用場所で水に炭酸カルシウム系粉末組成物を分散して使用することで、従来の地面に引くラインはもとより、芝生などに対しても鮮明にラインをひくことができる。
【００１３】
水に分散することで、粉末の使用量も減少するため、粉塵などの防止や環境などにも十分寄与する。
(57)【要約】【課題】日本で古くからの馴染みのある竹そのものの形を生かした、竹の刳り抜き細工を提供する。【解決手段】竹の節と節の間に直線や曲線で模様を描き、錐等や鋸等を用いて刳り抜く。【選択図】図１
2011207201.tif 000002
【特許請求の範囲】
【請求項１】
竹の節と節の間に直線や曲線からなる模様を描き、その模様の刳り抜く部分に錐等で穴を穿ち、その穴から鋸等を用いてデザイン通りに刳り抜き、刳り抜かずに残した竹の表面や裏面のコントラストを楽しむ竹細工品を提供する。
【発明の詳細な説明】
【技術分野】
【０００１】  本発明は、竹そのものの持つ素材の良さを生かしたまま竹に模様を刻み込む、竹細工の製造方法に関するものである。
【背景技術】
【０００２】  従来の竹細工品は、竹籤等の組み合わせで編みこんでいたり、竹の輪切り等の組み合わせを用いたりした、竹を加工して部品と化した物等が大半であり、竹の形そのものを残したまま細工されているものが少ない。【０００３】    本発明に関連する技術を調べると下記文献がある。
【先行技術文献】
【特許文献】
【０００４】
【特許文献１】特開２００１−１７９７０７号公報
【特許文献２】特開２００３−２４５４７５号公報
【発明の概要】
【発明が解決しようとする課題】
【０００５】    竹を部品として加工した物を利用した細工品も趣き深いものがあるが、自然の中で育った竹のそのままの風情を生かすことができない。【０００６】    本発明では、かかる従来の課題に鑑み、竹そのままの形がもつ風情を残しつつ、更に変化を加えて日本人的癒しを加える製造方法を提供することを目的とする。
【課題を解決するための手段】
【０００７】    従来には少なかった発想、竹そのものの形を生かすという所に着目し、錐等や鋸等の工具を用いて模様を残して刳り抜き、竹そのものに付加価値を与えるものである。【０００８】    本発明の竹細工品は、竹の節と節の間に模様を描く際、フリーハンドで図柄を描くのも良いが、自在曲線定規やコンパス・ディバイダー等の製図用具を用いて描くと綺麗な直線や曲線が描けて見栄えが良い。【０００９】    本発明の重要部分である刳り抜きは、錐等で穴を穿ち、その穴から鋸等で模様に沿って刳り抜いていくのだが、その際に竹の面に対し垂直に歯を入れ、ひび割れ等を起こさぬように慎重に刳り抜くことが重要である。
【発明の効果】
【００１０】    本発明の竹細工品では、竹そのままの形がもつ風情を残しつつ、更に変化を加えて日本人的癒しを加えた竹細工品を提供することができる。また、本発明の製造方法では、本発明が目的とする竹細工品を容易に製造することができる。
【図面の簡単な説明】
【００１１】
【図１】この一実施例の完成図である。
【図２】この一実施例を説明するための、下絵の一例を示す図である。
【図３】この一実施例に対する錐等での穴あけ位置を示す図である。
【図４】この一実施例に対する鋸等での刳り抜き方を示す図である。
【発明を実施するための形態】
【実施例１】
【００１２】    竹の節と節の間に模様を描く。節から数ｃｍ離した、節に対して水平な線を上下の節に対し１本ずつ描き、その描いた２本の線の間に模様を描いていく。【００１３】    刳り抜く部分に錐等で穴を穿つ。描いた模様の刳り抜く部分の線の始まりに、錐等で穴を穿ち、鋸等の歯を入れ易くする。【００１４】    前項の穴から鋸等を用いてデザイン通りに刳り抜く。鋸等を使用する際、その歯は竹の面に対し垂直に立てる。
【符号の説明】
【００１５】  １  竹の節
２  節に対して水平の線
３  模様の線
４  錐等で穿つ穴
５  鋸等で刳り抜く線
【図１】
2011207201.tif 000003
【図２】
2011207201.tif 000004
【図３】
2011207201.tif 000005
【図４】
2011207201.tif 000006
(57)【要約】      （修正有）【課題】荷締機のフックを受ける金具と調整金具とは別であり、その為荷締機側である手元での長さ調整が出来ない場合や、チェーンスリング線上の金具が荷の角を締める位置になった場合、再度の調整を行うという難点があった。【解決手段】自在調整受け金具１は後部が開放部と受け金具を兼ねており手元でチェーンスリング３の長さ調整が出来、前部で長さを保持し、後部で荷締機のフック２を受ける単体である。【選択図】図１
2011207619.tif 000002
【特許請求の範囲】
【請求項１】
市販のチェーンスリングと組み合わせ、前部はリングに差し込み調整した長さを保持し、後部は荷締機等のフックを受ける部分が開放部を兼ねた連結されていない単体である事を特長とする自在調整受け金具。
【発明の詳細な説明】
【技術分野】
【０００１】  本発明は市販のチェーンスリングと組み合わせて使用する事により、玉掛を含む荷役作業等の他、荷締機で積荷の荷締めを行う時、簡易に長さ調整を行う事を可能にする自在調整受け金具に関するものである。
【背景技術】
【０００２】  従来から、荷締め長さ調整を行う為にチェーンスリングと連結された金具等があった。
【発明が解決しようとする課題】
【０００３】  しかしながら、従来の技術では荷締機のフックを受ける金具と調整金具とは別であり、その為荷締機側である手元での長さ調整が出来ない場合や、チェーンスリング線上の金具が荷の角を締める位置になった場合、再度の調整を行うという難点があった。
【発明を解決するための手段】
【０００４】  市販のチェーンスリングと組み合わせ（ステップ１０１）前部はリングに差し込み調整した長さを保持し（ステップ１０２）後部は荷締機等のフックを受ける部分が開放部を兼ねた（ステップ１０３）連結されていない単体である事を特長とする自在調整受け金具。
【発明の効果】
【０００５】  請求項１の発明によれば市販のチェーンスリングと組み合わせて使用する事により、荷締機で積荷の荷締めを行う時、荷のサイズに適した長さに手元で調整して使用して使用する事ができ、簡易に荷締めを行う事が出来る
【発明を実施するための形態】
【０００６】  本発明の一形態について、図面を参照して説明する。
【０００７】  市販のフック付きチェーンスリングに、本発明の自在調整金具を通し、抜け防止のためエンドリングを取り付ける。（図２）
【図面の簡単な説明】
【０００８】
【図１】本発明の実施の形態を示す。
【符号の説明】１・・・・自在調整受け金具
２・・・チェーンスリング
３・・・荷締機
【図２】
【符号の説明】１・・・自在調整受け金具
２・・・フック
３・・・チェーンスリング
４・・・エンドリング
【図１】
2011207619.tif 000003
【図２】
2011207619.tif 000004
【手続補正書】
【提出日】平成22年6月16日(2010.6.16)
【手続補正２】
【補正対象書類名】明細書
【補正対象項目名】０００８
【補正方法】変更
【補正の内容】
【０００８】
【図１】本発明の一実施例を示す説明図
【図２】本発明を使用した状態を示す斜視図
(57)【要約】      （修正有）【課題】ウキの上端と下端に、ウキの形状に合わせた、金属や強化プラスチックスのパーツを組み込み、岩や岸壁等にあたった衝撃からウキを守る。【解決手段】様々な形のウキの一つ一つに、それぞれの形状に合った専用の補強パーツを金属や強化プラスチックスを用いて製作し、取り付けて、ウキの強度を格段に向上させると共に、視認性及びデザイン性をも向上させる。【選択図】図１
2011103867.tif 000002
【特許請求の範囲】
【請求項１】
ウキの上部と下部を補強するパーツである。
【発明の詳細な説明】
【発明の詳細な説明】
【技術分野】
【０００１】この発明は様々な形のウキの上端と下端に、そのウキの形状に合わせた、金属や強化プラスチックスのパーツを組み込むことにより、岩や岸壁等にあたった衝撃から、ウキ製品を補強するものである。
【背景技術】
【０００２】従来のウキは、釣りのときに釣り場の岩、岸壁などかたいものにぶつけると、その衝撃により衝突部のへこみ、傷つきや、塗料の剥れ、場合によってはカケてしまうことがある。
【発明が解決しようとする課題】
【０００３】（Ａ）ウキの投入時、岩や岸壁などの衝突に対して、大切なウキを傷つきやへこみ、塗装剥れ、破損から守る。
（Ｂ）視認性を良くする。
（Ｃ）長持ちする。
（Ｄ）水漏れを防止する。
（Ｅ）浮力・重さの調整ができる。
（Ｆ）デザイン性を良くする
【課題を解決するための手段】
【０００４】金属又は強化プラスチックスなどで、ウキの上部と下部、又は上部のみ、又は下部のみに、そのウキの形に合った、もしくは近い形の部品を作り、その部品を組み込む。
その部品が金属材で、サビの出るものはサビ止めのメッキ・塗装を施し、強度に欠けるものは、補強のためのメッキ・塗装をする。
又、デザイン性や視認性を良くする為の塗装やメッキ処理をする。
【発明を実施するための形態】
【０００５】（Ａ）ウキ製品の図面を作成
（Ｂ）ウキ上部又は下部の形状に合わせた図面を別途作成
（Ｃ）旋盤による切削、又は金型を作成し、強化プラスチックスの成形
（Ｄ）ウキ製品に穴あけ
（Ｅ）ウキ製品に取り付け（接着剤やネジ切りなど使用）
（Ｆ）材料は金属、強化プラスチックスを用いる。金属は真鍮・ステンレス・鉄・チタンなどを使い、サビるものはサビ止めのメッキ（ニッケル・金など）を施して、必要なら着色して視認性を良くする。
【実施例】
【０００６】様々な形のウキ１つ１つの上部・下部に、それぞれのウキの形状に合った専用の補強パーツを製作し、組み込む。
【発明の効果】
【０００７】この発明によれば、従来のウキよりも、強度が格段に向上し、さらに、視認性、デザイン性のよいウキができる。
【図面の簡単な説明】
【図１】本発明の斜視図である。
【図２】本発明の断面図である。
【符号の説明】１は上部パーツ
２は下部パーツ
【図１】
2011103867.tif 000003
【図２】
2011103867.tif 000004
【手続補正書】
【提出日】平成22年6月24日(2010.6.24)
【手続補正１】
【補正対象書類名】明細書
【補正対象項目名】全文
【補正方法】変更
【補正の内容】
【発明の詳細な説明】
【技術分野】
【０００１】この発明は、ウキ製品を釣り場の岩や岸壁等の固いものにあたった衝撃から守る為の補強パーツである。
補強方法は、ウキの上端と下端に、そのウキの形状に合わせた、金属や強化プラスチックスのパーツを作り、これを組み込む。
さらに、このパーツの内径のＲを大きくしたり、逆Ｒにした形状にすることにより、その使用目的や、機能、デザイン性を向上させる。
【背景技術】
【０００２】従来のウキは、釣りのときに釣り場の岩、岸壁などかたいものにぶつけると、その衝撃により衝突部のへこみ、傷つきや、塗料の剥れ、場合によってはカケてしまうことがある。
【発明が解決しようとする課題】
【０００３】（Ａ）ウキの投入時、岩や岸壁などの衝突に対して、大切なウキを傷つきやへこみ、塗装剥れ、破損から守る。
（Ｂ）視認性を良くする。
（Ｃ）長持ちする。
（Ｄ）水漏れを防止する。
（Ｅ）浮力・重さの調整ができる。
（Ｆ）デザイン性を良くし、高級感を出す。
（Ｇ）内径の入り口のＲの大小、及び逆Ｒの大小を付けることにより、ウキ止め用部品の受け止めの効果を上げたり、ラインのすべりを良くする。
（Ｈ）特に逆Ｒの場合は、潮受けによるウキの安定をはかる効果や、逆光を防ぎ、視認性の向上や、ウキ止め効果の機能を向上させる。
【課題を解決するための手段】
【０００４】金属又は強化プラスチックスなどで、ウキの上部と下部、又は上部のみ、又は下部のみに、そのウキの形に合った、もしくは近い形のパーツを作り、ウキ製品に組み込む。
又、デザイン性や機能の向上のため、そのパーツの上端・下端の内側のＲ及び、逆Ｒの大小などの形状を付ける。
内側のＲ及び逆Ｒの大きさは、半径０．５ｍｍ〜半径２０ｍｍ程度とし、中通し穴のあるものは、穴直径φ０．５ｍｍ〜穴直径φ６．０ｍｍ程度とする。
このパーツの接着を強化する為、ウキとの接着部分にネジ切り、又は凹凸形状を付ける。
さらに、サビ止めや補強、デザイン性の向上、視認性を良くする為のメッキや塗装処理をする。
【発明を実施するための形態】
【０００５】（Ａ）ウキ製品の図面を作成。
（Ｂ）ウキ上部又は下部の形状に合わせた図面を別途作成。
（Ｃ）旋盤やフライス盤などの機械によるパーツ切削。又は金型を作成し、強化プラスチックスなどのパーツを成形する。
（Ｄ）ウキ製品にパーツ取り付け用の穴を空ける。
（Ｅ）ウキ製品にパーツを取り付ける（接着剤やネジ切りなど使用）。
（Ｆ）材料は金属、強化プラスチックスを用いる。金属は真鍮・ステンレス・鉄・チタンなどを使い、サビるものや、補強の必要なものは、メッキ処理（ニッケル、金、チタンなど）を施して、更に必要なら着色して、視認性やデザイン性を良くする。
【実施例】
【０００６】様々な形のウキ１つ１つの上部・下部に、それぞれのウキの形状に合った専用の補強パーツを製作し、組み込む。
【発明の効果】
【０００７】この発明によれば、従来のウキよりも、強度が格段に向上し、さらに、視認性、デザイン性（高級感）、機能性のよいウキができる。
【図面の簡単な説明】
【図１】本発明の斜視図である。
【図２】本発明の断面図である。
【符号の説明】１は上部パーツ
２は下部パーツ
【手続補正２】
【補正対象書類名】特許請求の範囲
【補正対象項目名】全文
【補正方法】変更
【補正の内容】
【特許請求の範囲】
【請求項１】
ウキの上部と下部を補強するパーツである。
【請求項２】
請求項１のパーツの入り口部分の内側に、Ｒの大小や逆Ｒの大小の形状を付けたものである。
【手続補正３】
【補正対象書類名】図面
【補正対象項目名】図１
【補正方法】変更
【補正の内容】
【図１】
2011103867.tif 000005
【手続補正４】
【補正対象書類名】図面
【補正対象項目名】図２
【補正方法】変更
【補正の内容】
【図２】
2011103867.tif 000006